(57)【要約】【課題】  有機ＥＬの発光に寄与しない充放電を防止して消費電力を小さくする。【解決手段】    複数列の第１電極３２と、それに交差する向きの複数列の第２電極３４と、該第１電極と第２電極とにより挟持される有機発光層と、前記第１電極に発光電流を流す第１駆動部２０と、第２電極を発光電流を流すためにアースに接続し、発光電流を流さないための第２電源４４に接続する第２駆動部４０とを備える有機ＥＬ表示装置１０において、第１駆動部により発光電流が出力される電圧波形に同期して、第２電源の電圧を変化させる。【選択図】        図１
2006227337.tif 000002
【特許請求の範囲】
【請求項１】
短冊状に配置された複数列の第１電極と、
該第１電極列に交差する向きに短冊状に配置され、該第１電極のそれぞれと交差して画素が構成される、複数列の第２電極と、
該第１電極と第２電極とにより挟持される有機発光層と、
前記第１電極に接続され、表示内容に応じた発光電流を該第１電極に流す第１駆動部と、
前記第２電極に接続され、該第１駆動部により発光電流が流されるべき画素に対応する第２電極を選択して、選択された第２電極を、前記第１駆動部とともに発光電流を流すための第１電源またはアースに接続し、選択されていない第２電極を、発光電流を流さないための第２電源に接続する第２駆動部と
を備えてなる有機ＥＬ表示装置であって、
第１駆動部により発光電流が出力される電圧波形に同期して、第２電源の電圧を変化させることを特徴とする、有機ＥＬ表示装置。
【請求項２】
前記第２電源の電圧波形を前記第２電源の電圧波形に一致させるよう制御する制御手段をさらに備える請求項1に記載の有機ＥＬ表示装置。
【請求項３】
第１駆動部は定電流源により発光電流を生成するものであり、前記第２電源の電圧波形を、該定電流源の電流値に対応する電圧波形に一致させるよう制御する制御手段をさらに備える請求項1に記載の有機ＥＬ表示装置。
【請求項４】
短冊状に配置された複数列の第１電極と、該第１電極列に交差する向きに短冊状に配置され、該第１電極のそれぞれと交差して画素が構成される、複数列の第２電極と、該第１電極と第２電極とにより挟持される有機発光層と、前記第１電極に接続され、表示内容に応じた発光電流を該第１電極に流す第１駆動部と、前記第２電極に接続され、該第１駆動部により発光電流が流されるべき画素に対応する第２電極を選択して、選択された第２電極を、前記第１駆動部とともに発光電流を流すための第１電源またはアースに接続し、選択されていない第２電極を、発光電流を流さないための第２電源に接続する第２駆動部と  を備える有機ＥＬ表示装置の駆動方法であって、
第２電極のある電極を選択して第１電源またはアースに電気的に接続するステップと、
次いで、第１駆動部が、選択された第２電極につながる有機ＥＬ発光素子に第１電極を通じて発光電流を出力したのち、該発光電流を停止させるステップと、
次いで、第２電極の選択された電極の第１電源またはアースから電気的に切り離すステップと、
前記選択された電極とは別の第２電極を第１電源またはアースに電気的に接続するステップと
を含み、
第２電源の電圧が、第１駆動部の発光電流を流す電圧波形と同期して変化される、駆動方法。
【発明の詳細な説明】
【技術分野】
【０００１】
本発明は、有機ＥＬ表示装置に関し、特に輝度を向上することができ、また消費電力を抑えることができるパッシブマトリクス型有機ＥＬ表示装置およびその駆動方法に関する。
【背景技術】
【０００２】
有機ＥＬ表示装置は、自己発光型素子であるため視認性が高く、低電圧で駆動できるという特徴を持つため、実用化のための研究が積極的になされている。有機ＥＬ表示装置の各画素を構成する有機ＥＬ発光素子としては、透明基板上に陽極の透明導電性膜を形成し、その上に正孔輸送層および発光層の有機層を形成して、さらに、陰極となる金属膜を形成した構造（有機層が２層の構造）や、この有機層が、正孔輸送層、発光層、電子輸送層の３層からなる構造が知られている。
【０００３】
有機ＥＬ発光素子の発光機構は次のように考えられている。すなわち、陰極から注入された電子と、陽極から注入された正孔とが、発光層中の蛍光性色素分子で励起子を生成し、この励起子が輻射再結合する過程で発光するというものである。そして発せられた光は、陽極である透明導電性膜および透明基板を通して外部に放出される。
【０００４】
有機ＥＬ発光素子を用いた表示装置の一つに、図８に示すようなパッシブマトリクス型（単純マトリクス型）表示装置がある。パッシブマトリクス型有機ＥＬ表示装置は、透明基板上の複数の陽極列と、陽極に交差する複数の陰極列と、これらに挟持された有機発光層を含む有機層とから構成される。陽極と陰極との交差領域が画素を形成し、この画素が複数個配列して表示部とされる。陽極および陰極は、表示部から基板周囲へ延長されるように形成されて、その延長部分は駆動回路と接続するための接続部とされる。この接続部には外部駆動回路が接続されて有機ＥＬ表示装置が構成される。近年では、有機ＥＬ発光素子の発光応答速度の速さを活かした高精細なカラーのパッシブマトリクス型有機ＥＬ表示装置の研究が進められており、情報機器の各用途において、フルカラー表示や動画表示といった高品位表示を低コストで実現する有機ＥＬ表示装置に対する期待が高まっている。
【０００５】
前述したように、有機ＥＬ発光素子は電流注入による発光を利用するデバイスであり、液晶表示装置等の電界駆動型デバイスに比して大きな電流を制御しうる駆動回路と、大きな電流を流しうる陽極および陰極とを必要とする。パッシブマトリクス型有機ＥＬ表示装置に用いられる電極として、陽極には、インジウム錫酸化物（ＩＴＯ）やインジウム亜鉛酸化物、酸化錫等の透明導電性金属酸化物が用いられ、陰極にはＡ１合金、Ｍｇ合金等の仕事関数の低い金属が用いられる。
【０００６】
特許文献１（特開平９−２３２０７４号公報）には、パッシブマトリクス型有機ＥＬ表示装置の駆動に伴う消費電力を低減する手法が開示されている。
【特許文献１】特開平９−２３２０７４号公報
【発明の開示】
【発明が解決しようとする課題】
【０００７】
パッシブマトリクス型有機ＥＬ表示装置においては、表示部がｘ×ｙ個の画素により構成されている場合に、陽極と陰極を合計してｘ＋ｙ本の電極により表示部のすべての画素を駆動する必要がある。このため、走査駆動する際に駆動回路により選択されている画素以外の画素にも、選択されている画素につながる電極（例えば、陽極）の電位の影響を受けてしまう。
【０００８】
具体的には、例えば、一度にひとつの電極が選択される走査電極を陰極とし、操作電極に交差する向きのデータ電極を陽極とする場合に、スイッチング素子により電極の接続先を変更するプッシュ・プル方式の駆動回路によりパッシブマトリクス型有機ＥＬ表示装置を駆動することが行われる。この場合には、走査電極（陰極）のひとつが選択されて、スイッチング素子によりグランドに接続される。この選択された走査電極と、スイッチング素子により表示電流源に接続されたデータ電極（陽極）とにより有機ＥＬ発光素子に発光のための電圧（順方向電圧）が印加される。選択されていない走査電極は、スイッチング素子によりバイアス電源に接続される。選択されていない走査電極とスイッチング素子によりグランドに接続されたデータ電極とにより、選択されていない走査電極の有機ＥＬ発光素子には逆バイアス電圧が印加される。このようにして、選択された走査電極において表示が実現した後、選択される走査電極が順次切り替えられる。ここで、有機ＥＬ発光素子は、有機発光層を電極で挟持する構造を有しているために、ダイオード成分に並列に大きなキャパシタ成分を有している。そして、その大きなキャパシタ成分に対する順方向電圧と逆バイアス電圧による充放電が、選択される走査電極が切り替わるたびに行われる。
【０００９】
この充放電についてさらに詳しく説明すると、表示中のパッシブマトリクス型有機ＥＬ表示装置においては、ある走査電極が所定の期間だけ選択され、その間、他の走査電極は選択されていない。この期間の大半において、選択されていない走査電極により駆動される有機ＥＬ発光素子には逆バイアスが印加されている。これは、データ電極をグランド電位とし、選択された走査電極をグランド電位とし、非選択の走査電極を電源電位とするようにスイッチング素子が制御されるためである。そして、その期間内で、有機ＥＬ発光素子を点灯するためにデータ電極が電源電位につながれ、選択された走査電極につながれた有機ＥＬ発光素子に発光電流がながされる。この際、有機ＥＬ発光素子のキャパシタ成分が充電されるが、非選択の走査電極につながっている有機ＥＬ発光素子も逆バイアス電圧によって充電される。このため、点灯させたい有機ＥＬ発光素子に十分な電荷が供給されないという問題が発生する。陽極へ電荷を供給する駆動回路が定電流動作の場合はより一層充電に時間がかかり、その間は所望の輝度が得られず、平均輝度が低下することとなる。結果として、定電流値を高く設定して平均輝度を確保することとなり、有機ＥＬ発光素子の電流効率が低下し、消費電力が増大し、駆動寿命が低下することとなる。また、選択される走査電極が切り替わるたびに充放電が行われることから、その充放電による電力損失は無視できない。
【００１０】
この問題を解決する方法として、特許文献１には、陰極リセット法が開示されている。この方法の特徴は、選択する走査電極（陰極）を次のものに切り替える際に、一旦すべての走査電極をグランド電位にある電源に接続する点にある。これにより、次に選択した走査電極に対して、その他の走査電極を通じて電荷が供給され、点灯前にある程度の電荷を蓄えることができる。しかし陰極リセット法においては、非選択の走査電極から点灯している有機ＥＬ発光素子に一斉に大きな突入電流が流れる。このため、ドライバＩＣの負担が大きいという問題がある。また、陰極リセット法においては、走査電極の電源電位をデータ電極陽極の電源電位より低く設定する必要があり、その設定は点灯画素を発光させない程度とする必要がある。
【００１１】
本発明は、非選択画素への電荷供給を低減することで、消費電力を低く抑えながら、点灯画素の輝度を向上させることができる有機ＥＬ表示装置およびその駆動方法を得ることを課題とする。
【課題を解決するための手段】
【００１２】
本発明によれば、上記の目的を達成するために、  短冊状に配置された複数列の第１電極と、該第１電極列に交差する向きに短冊状に配置され、該第１電極のそれぞれと交差して画素が構成される、複数列の第２電極と、該第１電極と第２電極とにより挟持される有機発光層と、第１電極に接続され、表示内容に応じた発光電流を該第１電極に流す第１駆動部と、第２電極に接続され、該第１駆動部により発光電流が流されるべき画素に対応する第２電極を選択して、選択された第２電極を、第１駆動部とともに発光電流を流すための第１電源またはアースに接続し、選択されていない第２電極を、発光電流を流さないための第２電源に接続する第２駆動部とを備えてなる有機ＥＬ表示装置であって、第１駆動部により発光電流が出力される電圧波形に同期して、第２電源の電圧を変化させることを特徴とする、有機ＥＬ表示装置が提供される。
【００１３】
また、本発明によれば、上記の目的を達成するために、短冊状に配置された複数列の第１電極と、該第１電極列に交差する向きに短冊状に配置され、該第１電極のそれぞれと交差して画素が構成される、複数列の第２電極と、該第１電極と第２電極とにより挟持される有機発光層と、第１電極に接続され、表示内容に応じた発光電流を該第１電極に流す第１駆動部と、第２電極に接続され、該第１駆動部により発光電流が流されるべき画素に対応する第２電極を選択して、選択された第２電極を、第１駆動部とともに発光電流を流すための第１電源またはアースに接続し、選択されていない第２電極を、発光電流を流さないための第２電源に接続する第２駆動部と  を備える有機ＥＬ表示装置の駆動方法であって、第２電極のある電極を選択して第１電源またはアースに電気的に接続するステップと、次いで、第１駆動部が、選択された第２電極につながる有機ＥＬ発光素子に第１電極を通じて発光電流を出力したのち、該発光電流を停止させるステップと、次いで、第２電極の選択された電極の第１電源またはアースから電気的に切り離すステップと、選択された電極とは別の第２電極を第１電源またはアースに電気的に接続するステップとを含み、第２電源の電圧が、第１駆動部の発光電流を流す電圧波形と同期して変化される駆動方法が提供される。
【発明の効果】
【００１４】
第１駆動部の電圧波形に同期して、第２電源の電圧を変化させることにより、非選択の画素における逆バイアス電圧による充電量を低減し、点灯画素への電荷供給を有効に行うことができ、パッシブマトリクス型有機ＥＬ表示装置において、輝度を向上させることができ、また消費電力を低減することができる。
【発明を実施するための最良の形態】
【００１５】
［実施の形態１］
図１〜図４は、本発明の実施の形態に係る有機ＥＬ表示装置１０の構成の一部を示す回路図であり、ある走査電極が選択されて、次の走査電極に切り替えられる際の画素に流れる電流や画素にかかる電圧の様子を示すものである。これらの図では、有機ＥＬ表示装置１０の動作を、その一部の２×２個の有機ＥＬ発光素子３０１１、３０１２、３０２１、３０２２を用いて説明する。有機ＥＬ表示装置１０には、データ電極（第１電極）３２１、３２２と走査電極（第２電極）３４１、３４２が備えられており、これらの電極にはそれぞれプッシュ・プル型の動作をおこなうスイッチング素子が接続されている。このスイッチング素子の動作は、図においては、スイッチ２２１、２２２、４２１、４２２によって等価的に表現されている。スイッチ２２１、２２２は、データ電極３２１、３２２に表示電流源２４１、２４２が接続されるか、グランド（アース）２６が接続されるかを切り替える。また、スイッチ４２１、４２２は、走査電極３４１、３４２にグランド４６が接続されるか、可変電圧電源４４が接続されるかを切り替える。走査電極が選択されているときには、その走査電極はグランド４６に接続され、走査電極が選択されていないときには、その走査電極は可変電圧電源４４に接続される。スイッチ２２１、２２２は、第１駆動部２０を構成し、スイッチ４２１、４２２、可変電圧電源４４は第２駆動部４０を構成する。本実施の形態は、例えば、画素数８０×６０ドット、画素ピッチ０．３３×０．３３ｍｍの有機ＥＬ表示装置パネルとして実施しうる。また、第１駆動部２０、第２駆動部４０を、電極にかかる電圧上限が１５ＶとなるようなドライバＩＣや電源回路を用いて実現することができる。第１駆動部２０のスイッチング素子の高電位側は、例えば、最大１５Ｖが供給できる１００ｕＡ定電流動作回路とすることができる。
【００１６】
本発明の実施の形態の有機ＥＬ表示装置１０においては、走査電極３４１、３４２側のスイッチング素子に供給される可変電圧電源４４の電圧Ｖｓは、点灯画素のデータ電極３２１、３２２の電位変化に同期して変化される。ここで、電源電圧Ｖｓをデータ電極３２１、３２２と同電位に追従させれば、非選択の走査電極（図１における走査電極３４２）につながれた画素において不要な充放電が行われないため、選択された走査電極（図１における走査電極３４１）に含まれる有機ＥＬ発光素子３０１１、３０１２へ有効に電力が供給される。こうすることにより、不要な充放電が削減できて消費電力を低く抑えることができる。
【００１７】
本実施の形態の有機ＥＬ表示装置１０において、スイッチ２２１、２２２は、走査電極３４１、３４２のいずれかひとつが選択されている期間内において動作する。データ電極３２１、３２２がスイッチ２２１、２２２を介して表示電流源２４１、２４２に接続されるのは、選択されている期間のうちの発光が行われる期間に限られている。つまり、本発明においては、走査電極の接続先がスイッチ４２１、４２２によって切り替えられる瞬間には、スイッチ２２１、２２２により、データ電極３２１、３２２がグランド２６に接続されている。
【００１８】
なお、可変電圧電源４４の電圧Ｖｓは、この例に制限されない。またデータ電極側のスイッチング素子の低電位側はグランド電位以外の他の電位とすることもできる。
【００１９】
図５は、可変電圧電源４４の電圧と、走査電極３４の電圧と、データ電極３２の電圧とを、走査電極３４１が選択されている期間ＳＰ１から走査電極３４２が選択されている期間ＳＰ２にわたって示すタイミングチャートである。図５には、可変電圧電源４４の電圧ＶｓＳＯ（図５ａ）、走査電極３４１の電圧Ｖｓ１（図５ｂ）、走査電極３４２の電圧Ｖｓ２（図５ｃ）、データ電極３２１の電圧Ｖｄ１（図５ｄ）、データ電極３２２の電圧Ｖｄ２（図５ｅ）が共通の時間軸により示されている。
【００２０】
図１〜４のスイッチの状態と図５のタイミングチャートを用いて、本発明の実施の形態を以下に説明する。
【００２１】
図１に示した各スイッチの状態は、図５の期間ＳＰ１の中間期間の状態である。この場合には、走査電極３４１は選択されている。すなわち、走査電極３４１はスイッチ４２１によってグランド４６に接続されている。また、走査電極３４２は非選択とされている。すなわち、走査電極３４２はスイッチ４２２によって可変電圧電源４４に接続されている。そして、データ電極３２１、３２２は、スイッチ２２１、２２２によって表示電流源２４１、２４２に接続されている。
【００２２】
スイッチがこの状態にある時には、走査電極３４１につながる画素の有機ＥＬ発光素子３０１１、３０１２が発光しており、走査電極３４２につながる画素の有機ＥＬ発光素子３０２１、３０２２が発光していない。本実施の形態においては、可変電圧電源４４はスイッチ２２の動作に同期して変動する電圧ＶｓＳＯを出力する。電圧ＶｓＳＯの電圧波形は、立ち上がり部において遅延が生じているが、これはキャパシタ成分を充電する表示電流源２４の電圧波形に追従しているためである。
【００２３】
図１においては、選択された走査電極３４１と交差するすべてのデータ電極が定電流駆動され、これらにつながる有機ＥＬ発光素子が点灯状態にある。このとき、非選択の走査電極のスイッチング素子につながれた可変電圧電源４４の電位は、データ電極の電位に追従するように設定され、非選択の走査電極上の画素にかかる電圧は０Ｖに保たれる。つまり、この状態では、非選択の走査電極上の画素への充放電は行われず、データ電極に投入された電力のすべてが点灯に使われることになる。
【００２４】
図２に示した各スイッチの状態は、図１の状態に続けて実現する状態であり、図５の期間ＳＰ１´´における状態である。この場合には、走査電極３４１は選まだ選択されている。すなわち、走査電極３４１はスイッチ４２１によってグランド４６に接続されている。また、走査電極３４２は非選択とされている。すなわち、走査電極３４２はスイッチ４２２によって可変電圧電源４４に接続されている。そして、データ電極３２１、３２２は、スイッチ２２１、２２２によってグランド２６に接続されている。
【００２５】
スイッチがこの状態にある時には、有機ＥＬ発光素子３０１１、３０１２、３０２１、３０２２はすべて発光しておらず、これらには順方向電圧も逆バイアス電圧も印加されていない。
【００２６】
図１の状態から図２の状態に遷移する際には、データ電極３２１、３２２の電位が低下することに同期して、可変電圧電源４４の電圧を低下させる。これにより非選択の走査電極３４２につながれた有機ＥＬ発光素子３０１１、３０１２、３０２１、３０２２において電荷の移動が発生せず、発光に寄与しない電荷の移動を防ぐことができる。
【００２７】
図３に示した各スイッチの状態は、図２の状態に続けて実現する状態であり、図５の期間ＳＰ２´における状態である。この場合には、走査電極３４１は非選択とされている。すなわち、走査電極３４１はスイッチ４２１によって可変電圧電源４４に接続されている。その代わりに、走査電極３４２が選択されている。すなわち、走査電極３４２はスイッチ４２２によってグランド４６に接続される。そして、データ電極３２１、３２２は、スイッチ２２１、２２２によってグランド２６に接続されている。
【００２８】
スイッチがこの状態にある時にも、図２の場合と同様に、有機ＥＬ発光素子３０１１、３０１２、３０２１、３０２２はすべて発光しておらず、これらには順方向電圧も逆バイアス電圧も印加されていない。図３においても、可変電圧電源４４の電圧はデータ電極の電圧と同じであるため、有機ＥＬ発光素子３０１１、３０１２、３０２１、３０２２への充放電は発生しない。
【００２９】
図４に示した各スイッチの状態は、図３の状態に続けて実現する状態であり、図５の期間ＳＰ２における中間時期の状態である。この場合にも、図３と同様に、走査電極３４１は非選択とされている。すなわち、走査電極３４１はスイッチ４２１によって可変電圧電源４４に接続されている。また、走査電極３４２は選択されている。すなわち、走査電極３４２はスイッチ４２２によってグランド４６に接続されている。データ電極３２１は、スイッチ２２１によって表示電流源２４１に接続され、データ電極３２２は、スイッチ２２１によってグランド２６に接続されている。
【００３０】
スイッチがこの状態にある時には、有機ＥＬ発光素子３０１１、３０１２、３０２２は発光しておらず、有機ＥＬ発光素子３０２１が発光している。有機ＥＬ発光素子３０２１には順方向電圧Ｖｄが印加される。有機ＥＬ発光素子３０１２には逆バイアス電圧−ＶＳが印加される。  図４においては、図１と同様に、点灯させたい画素につながれたデータ電極を定電流で駆動する。図３の状態から図４の状態に遷移する際には、可変電圧電源の電圧を、点灯させたいデータ電極の電圧に追従するように設定する。追従させる対象となるデータ電極は特定のデータ電極である必要はなく、定電流駆動を行っている複数のデータ電極の少なくともいずれか１本とすることができる。また第１駆動部２０がドライバＩＣにより実現されている場合には、そのドライバＩＣのスイッチング状態を監視し、これに応じて走査電極のスイッチング素子につながれた可変電圧電源４４の電位を変化させても良い。
【００３１】
このように、非選択の走査電極のスイッチング素子につながれた電源の電位をデータ電極の電位に追従するように設定することにより、非選択の画素にかかる電圧はゼロに保たれ、また、逆バイアス電圧が印加される画素を減らすことができる。これにより、消費電力がより小さい有機ＥＬ表示装置が提供される。
【００３２】
［実施の形態２］
図６は、本発明の他の実施の形態に係る有機ＥＬ表示装置の構成を示す構成図である。本実施の形態においては、点灯したい有機ＥＬ発光素子を含む第１電極の電圧波形をモニタして可変電圧電源４４を制御する。
【００３３】
本実施の形態では、表示電流源２４の電圧変動Ｖｄと可変電圧電源４４による電源電圧変動Ｖｓとを一致させる。このために、本実施の形態では、点灯したい画素を含む走査電極の電圧波形をモニタして、これに可変電圧電源４４の電圧波形を一致させるよう制御するための制御信号を生成する制御手段５２を備えている。このとき、電圧Ｖｄと電圧Ｖｓを全く同一にできれば、図１における有機ＥＬ発光素子３０２１、３０２２および図４における有機ＥＬ発光素子３０１１において、逆バイアスが０Ｖとなる。なお、定電流駆動されていないデータ電極列に対しては、図４の有機ＥＬ発光素子３０１２のように逆バイアス−Ｖｓが印加される。
【００３４】
［実施の形態３］
図７は、実施の形態に係る有機ＥＬ表示装置の構成を示す構成図である。本実施の形態においては、表示電流源２４の電流に応じて、可変電圧電源４４を制御する。
【００３５】
本実施の形態においては、表示電流源２４が定電流源である場合には、表示電流源２４の出力電流値から、駆動負荷にともなう電圧の立ち上がり遅延の波形（図５）が決定できることを用いる。これにより、印加される表示電流源２４の電圧Ｖｄの波形と可変電圧電源４４の電圧Ｖｓの波形とを一致させることが可能である。このために、本実施の形態では、可変電圧電源４４の電圧の立ち上がり遅延の波形を、制御するための制御信号を生成する制御手段５４を備えている。
【００３６】
［比較例］
比較例として、画素数８０×６０ドット、画素ピッチ０．３３×０．３３ｍｍの有機ＥＬ表示装置１１０を作製した。ここで、本比較例においては、データ電極を駆動する駆動部および走査電極を駆動する駆動部の電圧上限は１５Ｖとしている。データ電極を駆動する駆動部の表示電流減は最大１５Ｖが供給できる１００ｕＡ定電流動作回路である。
【００３７】
図９〜１２は、図１〜４に対応させて、本比較例の有機ＥＬ表示装置１１０の動作を説明する回路図である。ここで図９から１２においては、図１から４と同一の構成には同一の符号を付している。本比較例の有機ＥＬ表示装置１１０においては、選択された走査電極上のすべてのデータ電極が定電流駆動され、点灯状態にある。このとき非選択の走査電極３４のスイッチング素子につながれた電源の電位は１５Ｖに固定されており、非選択の走査電極３４上の有機ＥＬ発光素子にかかる電圧はデータ電極３２１、３２２に生じる電圧Ｖｄとの差Ｖｄ−Ｖｓとなる。つまりこの状態では、各有機ＥＬ発光素子のキャパシタンス成分をＣとすると、Ｃ（Ｖｄ−Ｖｓ）だけの電荷が充放電される。またデータ電極３２１、３２２の電圧Ｖｄ１、Ｖｄ２は、定電流駆動開始時はゼロであり、データ電極側のスイッチングが切り替わった瞬間がもっとも大きな充電量となる。この不要な充電が行われるのは、非選択の走査電極上につながっているすべての画素である。その数は８０ドット×５９ラインであり、消費される電荷量もかなり大きいことになる。
【００３８】
図１０では、データ電極３２１、３２２がグランド２６につながれ、消灯状態を示す。このとき、非選択の走査電極３４２上の画素の電位差は最大になり、大きな電荷量が発光に寄与せず蓄積される。
【００３９】
図１１では、選択する走査電極を走査電極３４２に切り替えている。このとき、グランド４６から電源１４４に切り替わった走査電極３４１は逆バイアス−Ｖｓが印加されるために、有機ＥＬ素子３０１１、３０１２に不要な電荷が蓄積される。また電源１４４からグランド４６に切り替わった走査電極３４２では電荷が放電される。
【００４０】
図１２では、点灯させたい有機ＥＬ発光素子３０２１につながれたデータ電極３２１を定電流で駆動する。このとき、非選択の走査電極３４１につながれた有機ＥＬ発光素子３０１１、３０１２、画素に充電される電荷は、図９と同じである。
【００４１】
このように、本発明のように可変電圧電源４４の電圧を発光電流の電圧波形に同期させない場合には、データ電極や走査電極のスイッチングを切り替える図１０の状態と図１１の状態の切替のたびに充放電が行われ、消費電力が増大してしまう。
【００４２】
以上、本発明の実施の形態につき述べたが、本発明は既述の実施の形態に限定されるものではなく、本発明の技術的思想に基づいて各種の変形、変更および組合わせが可能である。
【図面の簡単な説明】
【００４３】
【図１】本発明の実施の形態に係る有機ＥＬ表示装置の構成の一部を示す回路図であり、選択期間の中間の期間におけるスイッチの状態を示す回路図。
【図２】本発明の実施の形態に係る有機ＥＬ表示装置の構成の一部を示す回路図であり、図１の状態に続けて実現するスイッチの状態を示す回路図。
【図３】本発明の実施の形態に係る有機ＥＬ表示装置の構成の一部を示す回路図であり、図２の状態に続けて実現するスイッチの状態を示す回路図。
【図４】本発明の実施の形態に係る有機ＥＬ表示装置の構成の一部を示す回路図であり、図３の状態に続けて実現するスイッチの状態を示す回路図。
【図５】本発明の実施の形態に係る有機ＥＬ表示装置における電圧波形を示すタイミングチャート。
【図６】本発明の実施の形態に係る有機ＥＬ表示装置の構成を示す構成図。
【図７】本発明の実施の形態に係る有機ＥＬ表示装置の構成を示す構成図。
【図８】一般的なパッシブマトリクス型有機ＥＬ表示装置の電極構造の例を示す構成図
【図９】比較例にかかる有機ＥＬ表示装置の構成の一部を示す回路図であり、選択期間の中間の期間におけるスイッチの状態を示す回路図。
【図１０】比較例にかかる有機ＥＬ表示装置の構成の一部を示す回路図であり、図９の状態に続けて実現するスイッチの状態を示す回路図。
【図１１】比較例にかかる有機ＥＬ表示装置の構成の一部を示す回路図であり、図１０の状態に続けて実現するスイッチの状態を示す回路図。
【図１２】比較例にかかる有機ＥＬ表示装置の構成の一部を示す回路図であり、図１１の状態に続けて実現するスイッチの状態を示す回路図。
【符号の説明】
【００４４】
１０  有機ＥＬ表示装置
２０  第１駆動部
２２、４２  スイッチ
２４  表示電流源
２６、４６  グランド
３０  発光素子
３２  データ電極
３４  走査電極
４０  第２駆動部
４４  可変電圧電源
５２、５４  電圧波形制御手段
【図１】
2006227337.tif 000003
【図２】
2006227337.tif 000004
【図３】
2006227337.tif 000005
【図４】
2006227337.tif 000006
【図５】
2006227337.tif 000007
【図６】
2006227337.tif 000008
【図７】
2006227337.tif 000009
【図８】
2006227337.tif 000010
【図９】
2006227337.tif 000011
【図１０】
2006227337.tif 000012
【図１１】
2006227337.tif 000013
【図１２】
2006227337.tif 000014